(57)【要約】【課題】ネイルアートを短時間で簡易に変更でき、しかも安定したネイルアートを実現するための電子ネイル及びこの電子ネイルに表示する絵柄を指示するための電子ネイル変更装置を提供する。【解決手段】爪に取り付けられる電子ネイル１０は、電力を受信しデータを送受信するためのアンテナ部１１０と、自己保持型のディスプレイと、制御回路部と、この電子ネイルのサイズに関するネイル識別情報が記録されたメモリ回路部とを備える。電子ネイル変更装置は、電子ネイル１０に対して電力供給して取得したネイル識別情報に含まれるサイズに応じて画像の大きさを調整する等の画像処理を行なって、この画像データを電子ネイル１０に送信する。電子ネイル１０の制御回路部は、受信した画像データに基づいてディスプレイの表示を変更する。【選択図】図１
2008168062.tif 000002
【特許請求の範囲】
【請求項１】
爪に取り付ける電子ネイルであって、
供給された電力により表示変更可能な自己保持型のディスプレイと、
外部から電力と電子ネイル用画像データとを受信するアンテナ部を含む通信手段と、
前記電子ネイル用画像データに基づいて、前記ディスプレイの表示を制御する電子ネイル制御手段とを備えることを特徴とする電子ネイル。
【請求項２】
外表面を覆って密閉することにより、外部からの液体の侵入を防止するための防止層を備えたことを特徴とする請求項１に記載の電子ネイル。
【請求項３】
前記ディスプレイは、カラー表示可能であることを特徴とする請求項１又は２に記載の電子ネイル。
【請求項４】
前記電子ネイル制御手段が読み出し可能なデータを記録するメモリ部を更に備え、
このメモリ部には、電子ネイルに関するネイル識別情報が記憶されており、
前記通信手段は前記ネイル識別情報を送信可能であって、
前記電子ネイル制御手段は、電力供給を受けた場合に、前記ネイル識別情報を前記メモリ部から取得して、前記通信手段を介して送信することを特徴とする請求項１〜３のいずれか１項に記載の電子ネイル。
【請求項５】
前記ネイル識別情報は、前記電子ネイルのサイズに関する情報を含むことを特徴とする請求項４に記載の電子ネイル。
【請求項６】
請求項１〜５のいずれか１項に記載の電子ネイルのディスプレイに表示させるための電子ネイル用画像データを記録するデータ記憶手段と、
前記電子ネイルに対して電力を供給し、かつ前記電子ネイル用画像データを送信する送信手段と、
前記送信手段を用いて、前記データ記憶手段に記録された電子ネイル用画像データを送信するための制御を行なう変更装置制御手段とを有することを特徴とする電子ネイル変更装置。
【請求項７】
前記電子ネイルのサイズを特定するためのネイル識別情報を、前記電子ネイルから取得する受信手段を更に備え、
前記変更装置制御手段は、
前記受信手段によって取得したネイル識別情報に基づいて特定されたサイズに対応する大きさの画像に、前記電子ネイル用画像データを変換する画像処理を実行し、
この画像処理を行なった電子ネイル用画像データを前記送信手段から送信させることを特徴とする請求項６に記載の電子ネイル変更装置。
【請求項８】
ユーザの指示に応じた信号を出力する操作指示手段を更に備え、
前記変更装置制御手段は、前記操作指示手段からの信号を取得し、この信号に応じて、前記データ記憶手段に記録された電子ネイル用画像データを特定することを特徴とする請求項６又は７に記載の電子ネイル変更装置。
【請求項９】
接触したことを検知する接触検知信号を出力する接触検知手段を更に備え、
前記変更装置制御手段は、前記接触検知信号を受信したときに、電子ネイル用画像データを前記送信手段から送信させることを特徴とする請求項６〜８のいずれか１項に記載の電子ネイル変更装置。
【発明の詳細な説明】
【技術分野】
【０００１】
本発明は、ネイルアートを行なうために爪に取り付ける電子ネイル及びこの電子ネイルに表示する絵柄を指示するための電子ネイル変更装置に関する。
【背景技術】
【０００２】
指先を綺麗に見せるために、爪に絵柄を描くネイルアートがある。このネイルアートは、マニキュアなどの塗料を用いて行なうものが広く普及している。この場合、ネイルアートが完成するまでに時間がかかる。
【０００３】
そこで、インクジェットタイプのプリンタを用いて爪にネイルアートを施す装置が開発されている（例えば、特許文献１参照）。この特許文献１では、指を固定し、この固定した指の爪に対してプリンタから塗料を吐出して絵柄を描く。プリンタにより絵柄を機械的に描くため、比較的、短時間に絵柄を描くことができる。
【０００４】
また、光の照射によって、ネイルアートの絵柄を短時間で変更できる技術が開発されている（例えば、特許文献２参照。）。この特許文献２に記載の発明では、フォトクロミック化合物を溶解した専用液を爪に塗布する。そして、ネイルアート提供システムの管理コンピュータは、利用者端末から受信した希望デザインに基づいて、そのネイルアートの画像を転写するための照射設定をデザインデータ記憶部から取得する。そして、管理コンピュータは、取得した照射設定に基づいて転写制御データを生成し、これを組み込んだプリント処理プログラムを利用者端末に送信する。利用者端末は、受信したこのプリント処理プログラムに従って、プリント案内機能、照射機能及び後処理機能を用いて、専用液を塗布した爪にネイルアートを施す。
【特許文献１】特開２００２−１６５６３２号公報（図１及び図３）
【特許文献２】特開２００５−３２９１２１号公報（図１、図５及び図６）
【発明の開示】
【発明が解決しようとする課題】
【０００５】
特許文献１では、爪に対して塗料を吐出してネイルアートを施す。このため、イメージした画像と同じ絵柄を爪に描くには、塗料を吐出する吐出ノズルと爪（指）との位置調整が必要である。また、塗料を乾かす時間が必要である。従って、この装置を用いても、ネイルアートを短時間に変更することは難しい。
【０００６】
一方、特許文献２に記載の発明では、ネイルアートを表示させるには、消色処理や紫外線照射処理といった種々の処理が必要であり、手間がかかる。更に、この場合、照明や太陽光等の紫外線を含む強い光を受けると、ネイルアートの画像が黒くなってしまうことがあり、画像が不安定である。
【０００７】
また、特許文献２においても、紫外線照射を行なってネイルアートを出現させるため、イメージした画像と同じ絵柄を爪に描くには、照射と爪（指）の位置合わせが必要であった。
【０００８】
本発明は、上述の課題に鑑みてなされ、その目的は、ネイルアートを短時間で簡易に変更でき、しかも安定したネイルアートを実現するための電子ネイル及びこの電子ネイルに表示する絵柄を指示するための電子ネイル変更装置を提供することにある。
【課題を解決するための手段】
【０００９】
上記問題点を解決するために、請求項１に記載の発明は、爪に取り付ける電子ネイルであって、供給された電力により表示変更可能な自己保持型のディスプレイと、外部から電力と電子ネイル用画像データとを受信するアンテナ部を含む通信手段と、前記電子ネイル用画像データに基づいて、前記ディスプレイの表示を制御する電子ネイル制御手段とを備えることを要旨とする。
【００１０】
請求項２に記載の発明は、請求項１に記載の電子ネイルにおいて、外表面を覆って密閉することにより、外部からの液体の侵入を防止するための防止層を備えたことを要旨とする。
【００１１】
請求項３に記載の発明は、請求項１又は２に記載の電子ネイルにおいて、前記ディスプレイは、カラー表示可能であることを要旨とする。
請求項４に記載の発明は、請求項１〜３のいずれか１項に記載の電子ネイルにおいて、前記電子ネイル制御手段が読み出し可能なデータを記録するメモリ部を更に備え、このメモリ部には、電子ネイルに関するネイル識別情報が記憶されており、前記通信手段は前記ネイル識別情報を送信可能であって、前記電子ネイル制御手段は、電力供給を受けた場合に、前記ネイル識別情報を前記メモリ部から取得して、前記通信手段を介して送信することを要旨とする。
【００１２】
請求項５に記載の発明は、請求項４に記載の電子ネイルにおいて、前記ネイル識別情報は、前記電子ネイルのサイズに関する情報を含むことを要旨とする。
請求項６に記載の発明は、請求項１〜５のいずれか１項に記載の電子ネイルのディスプレイに表示させるための電子ネイル用画像データを記録するデータ記憶手段と、前記電子ネイルに対して電力を供給し、かつ前記電子ネイル用画像データを送信する送信手段と、前記送信手段を用いて、前記データ記憶手段に記録された電子ネイル用画像データを送信するための制御を行なう変更装置制御手段とを有することを特徴とすることを要旨とする。
【００１３】
請求項７に記載の発明は、請求項６に記載の電子ネイル変更装置において、前記電子ネイルのサイズを特定するためのネイル識別情報を、前記電子ネイルから取得する受信手段を更に備え、前記変更装置制御手段は、前記受信手段によって取得したネイル識別情報に基づいて特定されたサイズに対応する大きさの画像に、前記電子ネイル用画像データを変換する画像処理を実行し、この画像処理を行なった電子ネイル用画像データを前記送信手段から送信させることを要旨とする。
【００１４】
請求項８に記載の発明は、請求項６又は７に記載の電子ネイル変更装置において、ユーザの指示に応じた信号を出力する操作指示手段を更に備え、前記変更装置制御手段は、前記操作指示手段からの信号を取得し、この信号に応じて、前記データ記憶手段に記録された電子ネイル用画像データを特定することを要旨とする。
【００１５】
請求項９に記載の発明は、請求項６〜８のいずれか１項に記載の電子ネイル変更装置において、接触したことを検知する接触検知信号を出力する接触検知手段を更に備え、前記変更装置制御手段は、前記接触検知信号を受信したときに、電子ネイル用画像データを前記送信手段から送信させることを要旨とする。
【００１６】
（作用）
請求項１に記載の発明によれば、電子ネイルを爪に取り付けることにより、電子ネイルのディスプレイに表示された画像がネイルアートとして機能する。また、電子ネイルのディスプレイに表示する絵柄を変更することにより、ネイルアートを短時間で変更することができる。更に、電子ネイルの画像を変更するときに、画像と爪との位置がずれることな
い。このため、位置調整を行なう必要がなく、簡易である。加えて、電子ネイルに用いられるディスプレイは、供給された電力により表示変更可能であるため、外部からの影響により画像が変化することがほとんどなく、安定したネイルアートを実現できる。
【００１７】
請求項２に記載の発明によれば、外表面を覆って密閉することにより、外部からの液体の侵入を防止するための防止層を備えている。このため、水に頻繁に触れる爪（人体）に取り付けられても、ディスプレイ、通信手段及び制御手段等の電子回路の、水による不具合を極力、回避することができる。
【００１８】
請求項３に記載の発明によれば、カラフルなネイルアートを実現することができる。
請求項４に記載の発明によれば、電子ネイル制御手段は、電力供給を受けると、電子ネイルのネイル識別情報を送信する。このため、ネイル識別情報に基づいて、これを送信した電子ネイルを特定して、このネイルに応じたネイルアートの画像を送信することもできる。
【００１９】
請求項５に記載の発明によれば、電子ネイルのサイズをネイル識別情報として用いることができる。このため、電子ネイルをサイズから特定することができる。従って、特定された電子ネイルは、サイズに応じて画像処理を行った画像データを受信してディスプレイに表示することもできる。従って、よりイメージに近いネイルアートを表示することができる。
【００２０】
請求項６に記載の発明によれば、変更装置制御手段は、電子ネイルに対して電力を供給し、データ記憶手段に記録された電子ネイル用画像データを送信する。このため、電子ネイルに対して、電子ネイル用画像データを新たに送信して、電子ネイルのディスプレイに表示する画像を新たに表示することができる。
【００２１】
請求項７に記載の発明によれば、変更装置制御手段は、電子ネイルのサイズを特定するためのネイル識別情報を取得し、電子ネイル用画像データを。特定したサイズに対応する大きさの画像のデータに変換する画像処理を実行する。このため、電子ネイルのサイズに適合する画像を電子ネイルに表示させることができるので、ネイル全体において、ユーザのイメージにより近い画像を表示させることができる。
【００２２】
請求項８に記載の発明によれば、変更装置制御手段は、操作指示手段からの信号に応じて、データ記憶手段に記録された電子ネイル用画像データを特定する。このため、データ記憶手段に複数の電子ネイル用画像を記録させた場合に、ユーザの指示に基づいて電子ネイル用画像を選択することができる。
【００２３】
請求項９に記載の発明によれば、変更装置制御手段は、接触検知信号を受信したときに、電子ネイル用画像データを送信手段から送信させる。このため、電子ネイル変更装置は、接触した電子ネイルに対して画像データを送信するので、ネイルアートを変更する電子ネイルをより明確に特定することができる。従って、ネイルアートの変更をより確実に行なうことができる。
【発明の効果】
【００２４】
本発明によれば、ネイルアートを短時間で簡易に変更することができ、しかも安定したネイルアートを実現することができる。
【発明を実施するための最良の形態】
【００２５】
以下、本発明を具体化した一実施形態を図１〜図６に基づいて説明する。
まず、電子ネイルについて図１及び図２を用いて説明する。
図１に示すように本実施形態の電子ネイル１０は、可撓性のある材料で構成されており、指の爪の曲面に沿って湾曲して、爪に対して着脱可能である。この電子ネイル１０は、使用する人の爪のサイズに合わせて選択することができる。また、この電子ネイル１０を、指の爪に装着する場合には、付け爪のように、例えば接着剤などを用いて貼り付ける。
【００２６】
次に、この電子ネイル１０の構成について説明する。この電子ネイル１０は、図２に示すように、アンテナ層１１、ディスプレイ層１２、電子回路層１３及び防止層としての防水処理層１４から構成される。
【００２７】
アンテナ層１１は、透明配線のアンテナ部１１０が形成される層である。本実施形態では、アンテナ部１１０として電磁誘導コイルアンテナを用いる。
ディスプレイ層１２は、薄い自己保持型のディスプレイ１２０（図３参照）が形成される層である。この自己保持型のディスプレイ１２０は、表示を保持するためには電力が不要で、表示を変更するためには電力を必要とする。本実施形態では、ディスプレイ１２０として、いわゆる電子ペーパー技術を用いる。この電子ペーパー技術では、微細なマイクロカプセルの内部に、帯電した色粒子（白粒子、黒粒子）を封入し、電圧を印加して色粒子を移動（電気泳動）させることで、画像を表示させる。このため、ディスプレイ層１２は、色粒子を配置させた層（発色層）と、この発色層の両側（アンテナ層１１側及び電子回路層１３側）に色粒子を泳動させて画像を表示させるための電極層とが設けられている。ここで、アンテナ層１１側の電極は、透明電極で構成される。ディスプレイ１２０のアンテナ層１１側には、「青」、「緑」、「赤」のカラーフィルタが設けられており、カラー表示を行なう。
【００２８】
図２の電子回路層１３には、ディスプレイ層を駆動するための電気的構成が内蔵されている。この電子回路層１３は、本実施形態では、プラスチックなどのフレキシブルな基板上に配線を形成したり、更に半導体チップを搭載したりすることにより構成する。
【００２９】
防水処理層１４は、アンテナ層１１、ディスプレイ層１２及び電子回路層１３を密封するように、電子ネイル１０の外表面を覆う。このため、この防水処理層１４は、これら層（１１〜１３）への水等の液体の浸入を防止する。
【００３０】
次に、電子ネイル１０の電気的構成について、図３及び図４を用いて説明する。
電子ネイル１０は、電子ネイル制御手段としての制御回路部１３０、通信手段としての通信回路部１３１、電源回路部１３２及びメモリ部としてのメモリ回路部１３５を備える。これら制御回路部１３０と、アンテナ部１１０以外の通信回路部１３１と電源回路部１３２とメモリ回路部１３５とは、電子回路層１３に形成されている。
【００３１】
通信回路部１３１は、アンテナ部１１０に接続されており、このアンテナ部１１０を介して外部（後述する電子ネイル変更装置２０）から電力供給を受けるとともに、アンテナ部１１０を介して各種信号を送出する。
【００３２】
電源回路部１３２は、整流回路やコンデンサを備える。そして、アンテナ部１１０において生じた電磁誘導電流を、整流回路で直流に整流してコンデンサに充電し電力を得る。この電力を用いて、電子ネイル１０の電気回路（制御回路部１３０、メモリ回路部１３５及びディスプレイ１２０等）が駆動する。
【００３３】
更に、制御回路部１３０は、メモリ回路部１３５及びディスプレイ１２０に接続されており、内蔵されたプログラムによって処理を実行する。具体的には、電力供給を受けると、制御回路部１３０は、メモリ回路部１３５に記録されているデータを読み出して送信する。また、画像データを受信した場合には、制御回路部１３０は、この画像データに基づ
く画像を表示するようにディスプレイ１２０を制御する。
【００３４】
メモリ回路部１３５には、この電子ネイル１０のサイズを特定するためのネイル識別子に関するデータが記録されている。ここで、サイズとは、電子ネイル１０の長さ及び幅である。具体的には、電子ネイル１０には、図４に示すように、複数種類の長さ及び幅のサイズがあり、ユーザは自分の爪のサイズに応じて選択する。
【００３５】
更に、制御回路部１３０は、ディスプレイ１２０の対向電極を制御して、ディスプレイ１２０の色粒子を泳動させる。これにより、画素単位で明暗を変更し、カラー表示を行なう。
【００３６】
次に、電子ネイル変更装置２０について、図３及び図５を用いて説明する。
本実施形態の電子ネイル変更装置２０は、図５に示すように、先端が細くなったペン形状をしている。この電子ネイル変更装置２０には、ディスプレイ２４０と、選択ボタン２５１及び送信ボタン２５２等の操作ボタンが設けられている。
【００３７】
次に、この電子ネイル変更装置２０の電気的構成について、図３を用いて説明する。
電子ネイル変更装置２０は、電源２１、変更装置制御手段としての制御部２２、データ記憶手段としてのデータ記憶部２３、表示処理部２４、操作指示手段としての操作指示部２５、データ取得手段としての通信部２６、接触検知手段としての接触検知部２７及び、送信手段及び受信手段としての送受信部２８を備える。
【００３８】
電源２１は、図示しないスイッチがオンとなると、各処理部（２２〜２８）に電力を供給する。
制御部２２は、操作指示部２５及び接触検知部２７からの信号を受け、データ記憶部２３、表示処理部２４、通信部２６、接触検知部２７及び送受信部２８の制御を行なう。制御部２２は、データ記憶部２３に記録された画像データを表示処理部２４に供給することにより、ディスプレイ２４０に画像を表示せる。また、制御部２２は、通信部２６を介して、外部装置から新たな電子ネイル用画像データを取得する。
【００３９】
更に、制御部２２は、アンテナを備えた送受信部２８を用いて、電子ネイル１０に電力供給を行なうとともに、電子ネイル１０からネイル識別子データを取得する。また、制御部２２は、取得したネイル識別子データを用いて、電子ネイル用画像データの画像処理を行なう。
【００４０】
データ記憶部２３には、電子ネイル用画像データが記録される。
表示処理部２４は、ディスプレイ２４０を備えており、制御部２２からの制御信号によって、このディスプレイ２４０に電子ネイル用画像を表示する。
【００４１】
操作指示部２５は、選択ボタン２５１及び送信ボタン２５２等の操作ボタンを備え、これら操作ボタンの押下に応じた信号を制御部２２に供給する。ここで、選択ボタン２５１は、データ記憶部２３に記録された電子ネイル用画像データを順番に表示させるためのボタンである。送信ボタン２５２は、ディスプレイ２４０に表示された電子ネイル用画像の送信を指示するためのボタンである。これら選択ボタン２５１及び送信ボタン２５２は、ディスプレイ２４０に対して先端とは反対側に設けられている。
【００４２】
通信部２６は、外部機器と通信を行ない、外部機器から電子ネイル用画像データを取得する。この通信部２６は、ＵＳＢ端子やＩＥＥＥ１３９４端子などを備えた有線通信や、電波を用いた無線通信を行なう。本実施形態では、電子ネイル変更装置２０は、通信部２６を介してコンピュータ端末３０に接続される。このコンピュータ端末３０は、ＣＤ−Ｒ
ＯＭなどから、多数の電子ネイル用画像データを取得する。また、このコンピュータ端末３０を、インターネットを介して電子ネイル用画像配信サーバに接続させて、電子ネイル用画像データを取得するように構成してもよい。
【００４３】
接触検知部２７は、電子ネイル変更装置２０の先端に設けられる圧力センサを用いて構成する。そして、接触検知部２７は、電子ネイル変更装置２０の先端が電子ネイル１０に接触したことを検知する。そして、接触を検知した場合には、接触検知部２７は検知信号を制御部２２に供給する。
【００４４】
送受信部２８は、磁界を発生させるためのアンテナ部を備える。このアンテナ部は、電子ネイル変更装置２０の先端部に組み込まれている。本実施形態では、この磁界による電磁誘導を用いて、電子ネイル１０に電力を供給する。電子ネイル変更装置２０がオン状態のときには、アンテナ部から常に磁界を発生させる。本実施形態では、電子ネイル１０毎に電力や信号を供給するために、アンテナ部は、先端部近傍の狭い範囲で磁界を発生させる。また、この送受信部２８は、電子ネイル１０のネイル識別子データを、アンテナ部１１０を介して取得して、制御部２２に供給する。
【００４５】
以上のように構成された電子ネイル１０及び電子ネイル変更装置２０を用いた電子ネイル画像送信処理について、図６を用いて説明する。
この処理を行なう前に、ユーザは、爪に表示させたい画像のデータを、通信部２６を介して電子ネイル変更装置２０に取り込んでおく。具体的には、ユーザは、コンピュータ端末３０のディスプレイを見ながら、キーボード及びマウスを操作して画像を選択し、電子ネイル変更装置２０に送信する指示を行なう。これにより、電子ネイル変更装置２０の制御部２２は、コンピュータ端末３０から電子ネイル用画像データを取得し、データ記憶部２３に記録する。一方、ユーザの各指の爪のそれぞれには、電子ネイル１０を取り付けておく。
【００４６】
電子ネイル画像送信処理において、電子ネイル変更装置２０は、電子ネイル１０に電力を供給する（ステップＳ１−１）。具体的には、電子ネイル変更装置２０の電源をオンすると、送受信部２８はアンテナ部から磁界を発生させる。そして、ユーザは、電子ネイル変更装置２０の先端を電子ネイル１０の１つに近づける。このとき、電子ネイル変更装置２０の先端に近づけた電子ネイル１０には、電磁誘導により電力が供給されて、電源回路部１３２は電力を発生して制御回路部１３０等に供給する。
【００４７】
そして、制御回路部１３０は、電力の供給を受けると、内蔵されたプログラムを起動して、以下の処理を実行する。具体的には、制御回路部１３０は、メモリ回路部１３５からネイル識別子データを読み出し、アンテナ部１１０を介して送信する。
【００４８】
そして、電子ネイル変更装置２０は、電子ネイル１０のネイル識別情報を取得する（ステップＳ１−２）。ここでは、ネイル識別情報として、電子ネイル１０のサイズに関するネイル識別子データが取得される。
【００４９】
次に、電子ネイル変更装置２０は、電子ネイル１０に送信する画像の特定処理を実行する（ステップＳ１−３）。具体的には、電子ネイル変更装置２０の制御部２２は、データ記憶部２３に記録した画像の１つをディスプレイ２４０に表示する。
【００５０】
ここで、ユーザは、ディスプレイ２４０に表示された画像とは異なる画像を利用したい場合には、選択ボタン２５１を押下する。制御部２２は、操作指示部２５において選択ボタン２５１の押下を検知した場合、データ記憶部２３に記録されている画像データを順次、読み出し、この画像データに基づく画像をディスプレイ２４０に表示させて、画像を変
更する。この画像の変更は、選択ボタン２５１が押下される度に繰り返される。
【００５１】
ディスプレイ２４０に所望の画像が表示された場合には、ユーザは送信ボタン２５２を押下する。これにより、制御部２２は、操作指示部２５を介して送信ボタン２５２の押下を検知し、ディスプレイ２４０に表示された画像を、送信画像として特定する。
【００５２】
次に、制御部２２は、特定した画像のトリミング判断処理を実行する（ステップＳ１−４）。具体的には、制御部２２は、ディスプレイ２４０にトリミングの要否の選択を促す表示を行なう。例えば、トリミングを行なう場合には選択ボタン２５１を選択し、トリミングを行なわない場合には送信ボタン２５２を選択する旨の表示を行なう。
【００５３】
ここで、制御部２２は、操作指示部２５を介して選択ボタン２５１の押下を検知し、「トリミング要」と判断した場合（ステップＳ１−４において「ＹＥＳ」の場合）、トリミング処理を実行する（ステップＳ１−５）。具体的には、制御部２２は、特定した画像に表示されているオブジェクト（例えば図５におけるハート）を特定する。そして、制御部２２は、このオブジェクトを含むように、電子ネイル１０のサイズと同じ範囲を切り出す。この場合には、画像のオブジェクトの大きさは変化しない。
【００５４】
一方、操作指示部２５を介して送信ボタン２５２の押下を検知し、「トリミング不要」と判断した場合（ステップＳ１−４において「ＮＯ」の場合）、制御部２２は、画像のサイズ調整処理を実行する（ステップＳ１−６）。具体的には、制御部２２は、特定した画像を、電子ネイル１０のサイズに一致するように拡大又は縮小を行なう。この場合、画像に含まれるオブジェクトは拡大又は縮小される。
【００５５】
その後、選択ボタン２５１を選択したユーザは、電子ネイル変更装置２０の先端部を電子ネイル１０に接触させる。これにより、電子ネイル変更装置２０の接触検知部２７は、接触検知信号を制御部２２に供給する。
【００５６】
制御部２２が接触を検知した場合（ステップＳ１−７において「ＹＥＳ」の場合）、電子ネイル１０に画像データを送信する（ステップＳ１−８）。具体的には、ステップＳ１−５又はステップＳ１−６で画像処理を行なった画像のデータを、送受信部２８のアンテナ部から電子ネイル１０に送信する。
【００５７】
電子ネイル１０の制御回路部１３０は、電子ネイル変更装置２０からの画像データを受信すると、この画像データに基づいて、ディスプレイ１２０の対向電極を制御して、画像を書き換える。これにより、ユーザが選択した画像がディスプレイ１２０に表示されて、電子ネイル１０にネイルアートが出現する。
【００５８】
以上のステップＳ１−１〜Ｓ１−８の処理を、電子ネイル変更装置２０が、各爪に取り付けた電子ネイル１０について行なうことにより、すべての爪にネイルアートを施すことができる。以上により、電子ネイル画像送信処理が完了する。
【００５９】
本実施形態によれば、以下のような効果を得ることができる。
・  本実施形態では、電子ネイル１０を爪に取り付けることにより、この電子ネイル１０のディスプレイ１２０に表示された画像がネイルアートとして機能する。このため、ディスプレイ１２０に表示された画像を変更することにより、ネイルアートを短時間で変更することができる。また、電子ネイル１０の画像を変更するときに爪との位置がずれることがない。このため、位置調整を行なう必要がなく、ネイルアートの変更が簡易である。更に、ディスプレイ１２０の画像は外部からの影響によって変化することがほとんどなく、安定したネイルアートを実現できる。
【００６０】
・  本実施形態では、電子ネイル１０の制御回路部１３０は、電子ネイル変更装置２０からの画像データを受け取り、この画像データに基づいてディスプレイ１２０に表示される画像を書き換える。このため、電子ネイル変更装置２０を用いて、電子ネイル１０のディスプレイ１２０に表示する画像を容易に変更することができる。
【００６１】
・  本実施形態では、電子ネイル１０のメモリ回路部１３５には、ネイル識別子として、電子ネイル１０のサイズに関するデータが記録される。電子ネイル１０は、電力供給を受けると、電子ネイル１０のサイズに関するデータを電子ネイル変更装置２０に送信する。電子ネイル変更装置２０の制御部２２は、受信したデータのサイズに合わせて画像処理（ステップＳ１−５，Ｓ１−６）を行ない、画像データを送信する（ステップＳ１−８）。電子ネイル１０は、受信した画像データに基づいてディスプレイ１２０の表示を変更する。このため、制御部２２は、電子ネイル１０のサイズに対応する画像を表示できるので、電子ネイル１０全体のイメージを、ユーザのイメージにより近づけることができる。
【００６２】
・  本実施形態では、電子ネイル変更装置２０は、トリミング処理により画像処理を行なうことができる（ステップＳ１−６）。このため、オブジェクトのサイズを変化させずに、オブジェクトを含むネイルアートを施すことができる。
【００６３】
・  本実施形態では、電子ネイル変更装置２０の制御部２２は、選択ボタン２５１及び送信ボタン２５２等の操作ボタンを備えた操作指示部２５からの信号に応じて、画像を特定する（ステップＳ１−３）。このため、電子ネイル変更装置２０のデータ記憶部２３に複数の電子ネイル用画像データを記録しても、ユーザの指示に応じてユーザが所望する画像を選択することができる。従って、変更したい画像を記憶させた電子ネイル変更装置２０を携帯すれば、爪に取り付けた電子ネイル１０のネイルアートを、どこでも短時間で変更することができる。
【００６４】
・  本実施形態では、電子ネイル変更装置２０の制御部２２は、接続されたコンピュータ端末３０から画像データをデータ記憶部２３に取り込むことができる。このため、新たな電子ネイル用画像データを取得して、新たな絵柄のネイルアートを施すことができる。
【００６５】
・  本実施形態では、電子ネイル変更装置２０の制御部２２は、接触したことを検知する接触検知部２７を備える。制御部２２は、画像処理を行なった後（ステップＳ１−５，Ｓ１−６）、ユーザが電子ネイル変更装置２０の先端を電子ネイル１０に接触させて、接触を検知すると（ステップＳ１−７において「ＹＥＳ」）、画像データを送信する（ステップＳ１−８）。このため、電子ネイル変更装置２０は、接触した後に画像データを送信するので、ネイルアートを変更する電子ネイル１０を特定することができる。従って、ネイルアートの変更をより確実に行なうことができる。
【００６６】
・  本実施形態では、電子ネイル変更装置２０は、電子ネイル用画像を表示するディスプレイ２４０を備える。そして、制御部２２は、選択ボタン２５１の押下に応じてディスプレイ２４０に表示する電子ネイル用画像を変更する。このため、ユーザは、ディスプレイ２４０に表示された電子ネイル用画像を見ながら、送信されるネイルアートの画像を確認することができる。
【００６７】
・  本実施形態では、電子ネイル変更装置２０は、電子ネイル１０に電力を供給する送受信部２８を備える。このため、電子ネイル１０自体に電力を持たせる必要がなく、電子ネイル１０を薄くかつ軽量化できる。
【００６８】
・  本実施形態では、電子ネイル１０の表面側のアンテナ部１１０は、透明配線から構
成されている。このため、ディスプレイ１２０に表示される画像がアンテナ部１１０に邪魔されず、ネイルアートの画像をより確実に見せることができる。
【００６９】
・  本実施形態では、電子ネイル１０のディスプレイ１２０はカラー表示を行なうので、カラフルなネイルアートを実現することができる。
・  本実施形態では、防水処理層１４は、電子ネイル１０の外表面を覆って、これら層（１１〜１３）への水等の液体の浸入を防止する。このため、水に頻繁に触れる爪（人体）に取り付けられても、アンテナ部１１０やディスプレイ１２０及び電子回路層１３に形成された回路の水による不具合を極力、回避することができる。
【００７０】
また、上記実施形態は以下のように変更してもよい。
○  上記実施形態においては、電子ネイル変更装置２０をペン形状とした。電子ネイル変更装置の形状はこれに限らず、図７に示すように薄い直方体のシート形状の電子ネイル変更装置４０としてもよい。この場合、シート形状の電子ネイル変更装置４０のアンテナ部１１０の電力供給やデータ送受信の範囲を、電子ネイル変更装置２０よりも大きく、例えば数センチから十数センチ程度にしてもよい。これにより複数の爪のネイルアートを一度に変更することができる。
【００７１】
○  上記実施形態においては、ネイル識別情報として、電子ネイル１０のサイズに関するデータを用いた。これに限らず、図８に示すように、ネイル識別情報として、電子ネイル１０が取り付けられる取付位置（右手の親指や左手の薬指など）を特定する指特定識別子をも記録させてもよい。この場合には、指特定識別子に基づいて、電子ネイル１０の取付位置に対応する画像を表示することもできる。
【００７２】
また、電子ネイル１０のメモリ回路部１３５に、指特定識別子だけを記録し、電子ネイル変更装置２０のデータ記憶部２３に、指特定識別子に関連付けたサイズに関するデータを記録させてもよい。この場合、制御部２２は、電子ネイル１０からネイル識別情報（取付位置に関するデータ）を受信すると、これに対応するサイズデータをデータ記憶部２３から特定する。次に、制御部２２は、特定したサイズデータに基づいて電子ネイル用画像を画像処理する。
【００７３】
○  上記実施形態においては、電子ネイル変更装置２０は、１つの電子ネイル１０からネイル識別情報を取得する度に、この電子ネイル１０に対して画像データを送信した。これに限らず、複数のネイル識別情報をまとめて取得した後、画像データをまとめて送信してもよい。例えば、同じ絵柄のネイルアートを施す処理プログラムを制御部２２に記録させる。このプログラムによって、制御部２２は、まず、各電子ネイル１０に対して電力を供給し（ステップＳ１−１）、各電子ネイル１０からネイル識別情報を順次、取得する（ステップＳ１−２）。そして、制御部２２は、取得したネイル識別情報に基づいて画像処理を行なった後、各ネイル識別情報を有する電子ネイル１０に対して、順次、画像データを送信する。この場合、ネイル識別情報を付けて画像データを送信する。各電子ネイル１０では、メモリ回路部１３５に記録したネイル識別情報と一致する情報を取得した場合には、このネイル識別情報が付された画像データを取得する。このため、各電子ネイル１０は、サイズに対応する画像データを取得することができる。従って、画像の選択操作を簡素化することができる。
【００７４】
○  上記実施形態においては、電子ネイル変更装置２０は、各爪に表示する絵柄を適宜選択した。この場合、片手全体で１つの絵柄になるような画像を表示させてもよい。具体的には、全体で１つとなるが、電子ネイル毎に分割処理可能な電子ネイル用画像データを電子ネイル変更装置２０のデータ記憶部２３に記録させる。この場合、電子ネイル用画像データは、電子ネイル１０の取付位置に関するデータに関連付けられて記録される。また
、各電子ネイル１０のメモリ回路部１３５に、ネイル識別情報として取付位置に関するデータを記録しておく。そして、電子ネイル変更装置２０は、電力を供給した電子ネイル１０から取付位置に関するデータを取得し、この取付位置に対応する電子ネイル用画像データを取得する。これにより、各爪において異なる一連の絵柄のネイルアートを施すことができる。
【００７５】
○  上記実施形態においては、電子ネイル変更装置２０は、各爪に表示する絵柄を適宜選択した。これに代えて、一方の手の各爪に用いた画像に対して対称となるように他方の手の各爪にネイルアートを施してもよい。この場合、左右対称のネイルアートを行なう処理プログラムを制御部２２に記録させる。そして、電子ネイル用画像データを、電子ネイル１０の取付位置に関連付けてデータ記憶部２３に記録させる。更に、各電子ネイル１０のメモリ回路部１３５に、取付位置に関するデータを記録しておく。この場合、制御部２２は、電子ネイル１０から取得した取付位置データに基づいて、同じ種類の指（例えば親指同士）においては、同一の電子ネイル用画像データを用いる。更に、制御部２２は、例えば、電子ネイル１０の取付位置が、右手の場合には、電子ネイル用画像データをそのまま出力し、左手の場合には、左右反転した電子ネイル用画像データを出力する。これにより、両方の手に左右対称のネイルアートを施すことができる。
【００７６】
○  上記実施形態においては、電子ネイル１０のアンテナ部１１０を、電磁誘導コイルアンテナで構成した。これに代えて、図９に示すように、電波コイルアンテナで構成されたアンテナ部５１０を有する電子ネイル５０としてもよい。この場合、電子ネイル変更装置２０，４０は、電子ネイル５０に対して電波を用いて電力を発生させる。
【００７７】
○  上記実施形態においては、電子ネイル１０のディスプレイ１２０として、電気泳動法による表示を行なうディスプレイを用いた。これに限らず、供給された電力により表示変更可能なディスプレイ１２０であれば、他の方法のディスプレイでもよい。例えば、電子ペーパー用のディスプレイとして用いられるコレステリック液晶を用いてもよい。この場合、カラー表示を行なうために、「青」、「緑」、「赤」の液晶を３層に重ねてディスプレイ層１２を構成する。ただし、このカラー表示の場合、画素毎に表示させるには、表示のための配線が縦横一杯になされている必要がある。
【００７８】
○  上記実施形態においては、アンテナ部１１０は、ディスプレイ層１２より表面側に配置したが、電子回路層１３より更に表面から遠い裏面側に配置してもよい。
○  上記実施形態においては、電子ネイル変更装置２０は、先端が電子ネイル１０に接触して、接触検知部２７の信号を受信したときに画像データを送信した。これに代えて、接触検知部２７が電子ネイル１０に接触した場合に、電子ネイルに電力供給を行ってもよい。また、接触検知部２７を省略してもよい。この場合、送信する画像が特定されたとき（ステップＳ１−３）には、画像処理を行なって（ステップＳ１−５，Ｓ１−６）、すぐに画像データの送信をしてもよい。
【００７９】
○  上記実施形態においては、接触検知部２７を、圧力センサを用いて構成した。これに限らず、接触を検知できるセンサであれば、例えば、加速度センサなどを用いて、接触検知部２７を構成してもよい。
【００８０】
○  上記実施形態においては、電子ネイル変更装置２０は、電子ネイル１０のサイズに一致するように画像処理を行なった（ステップＳ１−５，Ｓ１−６）。これに代えて、電子ネイル変更装置２０は、コンピュータ端末３０から、各サイズの電子ネイル用画像を取得してもよい。この場合、電子ネイル変更装置２０は、各サイズに対応する画像をコンピュータ端末３０から取得し、データ記憶部２３に記憶する。そして、電子ネイル変更装置２０は、送信する画像を特定した（ステップＳ１−３）後、ステップＳ１−４〜Ｓ１−６
をスキップして、接触を検知すると（ステップＳ１−７において「ＹＥＳ」）、画像データを送信する。
【００８１】
○  上記実施形態においては、電子ネイル変更装置２０は、コンピュータ端末３０から電子ネイル用画像データを取得した。これに限らず、電子ネイル変更装置２０を直接、ネットワークを介して電子ネイル用画像提供サーバに接続し、この電子ネイル用画像提供サーバから画像データを取得してもよい。
【００８２】
○  上記実施形態においては、電子ネイル１０は可撓性を有するとした。これに限らず、電子ネイル１０を爪の形状に沿わすことができれば、例えば湾曲した形状であれば、可撓性がない材質で電子ネイル１０を構成してもよい。
【図面の簡単な説明】
【００８３】
【図１】電子ネイルの装着状態を示す外観図。
【図２】電子ネイルの概略構成を示す説明図。
【図３】電子ネイル及び電子ネイル変更装置の電気的構成を示すブロック図。
【図４】電子ネイルのサイズを説明するための説明図。
【図５】実施形態における電子ネイル変更装置の外観図。
【図６】電子ネイル変更装置の処理手順を説明するための流れ図。
【図７】変更例における電子ネイル変更装置の外観図。
【図８】変更例における不揮発性メモリに記録したデータの構成を説明する説明図。
【図９】変更例における電子ネイルの概略構成を示す説明図。
【符号の説明】
【００８４】
１０，５０…電子ネイル、１４…防止層としての防水処理層、２０，４０…電子ネイル変更装置、２２…変更装置制御手段としての制御部、２３…データ記憶手段としてのデータ記憶部、２５…操作指示手段としての操作指示部、２７…接触検知手段としての接触検知部、２８…送信手段及び受信手段としての送受信部、１１０，５１０…アンテナ部、１３１…通信手段としての通信回路部、１２０…電子ネイルのディスプレイ、１３０…電子ネイル制御手段としての制御回路部、１３５…メモリ部としてのメモリ回路部。
【図１】
2008168062.tif 000003
【図２】
2008168062.tif 000004
【図３】
2008168062.tif 000005
【図４】
2008168062.tif 000006
【図５】
2008168062.tif 000007
【図６】
2008168062.tif 000008
【図７】
2008168062.tif 000009
【図８】
2008168062.tif 000010
【図９】
2008168062.tif 000011